(57)【要約】【課題】より効率的に監視画像を作成することができるコンピュータプログラム、監視画像作成装置及び監視画像作成方法を提供することである。【解決手段】実施形態のコンピュータプログラムは、変換ステップと、記憶ステップとを持つ。変換ステップは、監視対象設備に対応付けられた第１シンボルと設備同士の接続に用いられる系統線に対応付けられ、かつ系統線の通電状態に関わらず所定の態様で表される第２シンボルとを複数組み合わせて描画された監視画像から選択された第２シンボルと第１シンボルとに基づいて、系統線の通電状態に応じて表示態様を変化させ、かつ系統線に対応付けられた第３シンボルに、選択された第２シンボルを変換する。記憶ステップは、第３シンボルが描画される領域を表す第１の領域情報と第１シンボルが描画される領域を表す第２の領域情報とが所定の条件を満たす場合、第３シンボルと第１シンボルとを対応付けて記憶装置に記憶する。【選択図】図１
2020115253.tif 000002
【特許請求の範囲】
【請求項１】
監視対象となる設備に対応付けられた第１シンボルと前記設備同士の接続に用いられる系統線に対応付けられ、かつ前記系統線の通電状態に関わらず所定の態様で表される第２シンボルとを複数組み合わせて描画された監視画像から選択された少なくとも１つの第２シンボルと少なくとも１つの第１シンボルとに基づいて、
前記系統線の通電状態に応じて表示態様を変化させ、かつ前記系統線に対応付けられた第３シンボルに、選択された前記第２シンボルを変換する変換ステップと、
変換された前記第３シンボルが描画される領域を表す第１の領域情報と選択された前記第１シンボルが描画される領域を表す第２の領域情報とが所定の条件を満たす場合、前記第３シンボルと前記第１シンボルとを対応付けて記憶装置に記憶する記憶ステップと、
をコンピュータに実行させるためのコンピュータプログラム。
【請求項２】
前記変換ステップにおいて、選択された前記第２シンボルが描画される領域を表す第３の領域情報と前記第２の領域情報とが一致する領域を、前記第３の領域情報から消去する請求項１に記載のコンピュータプログラム。
【請求項３】
前記変換ステップにおいて、前記消去によって前記第３の領域情報が不連続な領域を有することになった場合、前記不連続な領域に第３シンボルを示す識別子をそれぞれ付与することで第３シンボルに変換する請求項２に記載のコンピュータプログラム。
【請求項４】
前記記憶ステップにおいて、選択された２つ以上の前記第２シンボルが描画されるそれぞれの領域が隣接している場合におけるユーザからの指示を受け付けて、隣接する前記第２シンボル同士を対応付けて前記記憶装置に記憶する請求項１から３のいずれか一項に記載のコンピュータプログラム。
【請求項５】
監視対象となる設備に対応付けられた第１シンボルと前記設備同士の接続に用いられる系統線に対応付けられ、かつ前記系統線の通電状態に関わらず所定の態様で表される第２シンボルとを複数組み合わせて描画された監視画像から選択された少なくとも１つの第２シンボルと少なくとも１つの第１シンボルとに基づいて、前記系統線の通電状態に応じて表示態様を変化させ、かつ前記系統線に対応付けられた第３シンボルに、選択された前記第２シンボルを変換する変換部と、
変換された前記第３シンボルが描画される領域を表す第１の領域情報と選択された前記第１シンボルが描画される領域を表す第２の領域情報とが所定の条件を満たす場合、前記第３シンボルと前記第１シンボルとを対応付けて記憶装置に記憶する記憶部と、
を備える、監視画像作成装置。
【請求項６】
監視画像作成装置が、監視対象となる設備に対応付けられた第１シンボルと前記設備同士の接続に用いられる系統線に対応付けられ、かつ前記系統線の通電状態に関わらず所定の態様で表される第２シンボルとを複数組み合わせて描画された監視画像から選択された少なくとも１つの第２シンボルと少なくとも１つの第１シンボルとに基づいて、前記系統線の通電状態に応じて表示態様を変化させ、かつ前記系統線に対応付けられた第３シンボルに、選択された前記第２シンボルを変換する変換ステップと、
監視画像作成装置が、変換された前記第３シンボルが描画される領域を表す第１の領域情報と選択された前記第１シンボルが描画される領域を表す第２の領域情報とが所定の条件を満たす場合、前記第３シンボルと前記第１シンボルとを対応付けて記憶装置に記憶する記憶ステップと、
を有する、監視画像作成方法。
【発明の詳細な説明】
【技術分野】
【０００１】
本発明の実施形態は、コンピュータプログラム、監視画像作成装置及び監視画像作成方法に関する。
【背景技術】
【０００２】
監視制御システムは、設備の運転状態の監視及び制御を行うために用いられる。以下、監視制御システムの一例について説明する。監視制御システムは、監視画像を表示装置に表示する。監視画像は、監視対象となる設備単位又は設備の設けられたフロア単位で表示される。監視画像では、設備同士の接続関係を表す固定線シンボル又は活線シンボルと、設備と対応付けられた可変シンボルと、で表される場合がある。このような監視画像では、設備の運転状態の監視及び制御を行う者は、可変シンボルに基づいて、設備の運転状態を把握することができる。固定線シンボルは、監視対象となる設備の通電状態に関わらず一定の表示態様で表示される。活線シンボルは、監視対象となる設備の通電状態に応じて表示態様を変えて表示される。監視画像の作成者は、活線シンボルを用いて監視画像を作成する場合、描画された固定線シンボルを一本ずつ活線シンボルに変換することで監視画像を作成していた。しかし、監視対象となる施設に応じて、監視画像は複雑な構成を有する場合がある。このような場合、監視画像の作成者は、監視画像の作成に長い時間をかけることがあり、効率的に監視画像を作成することができない場合があった。
【先行技術文献】
【特許文献】
【０００３】
【特許文献１】特開２０１７−１４２６３７号公報
【特許文献２】特開平１−１４８００８号公報
【特許文献３】特開２０１４−１０９８０６号公報
【発明の概要】
【発明が解決しようとする課題】
【０００４】
本発明が解決しようとする課題は、より効率的に監視画像を作成することができるコンピュータプログラム、監視画像作成装置及び監視画像作成方法を提供することである。
【課題を解決するための手段】
【０００５】
実施形態のコンピュータプログラムは、変換ステップと、記憶ステップとを持つ。変換ステップは、監視対象となる設備に対応付けられた第１シンボルと前記設備同士の接続に用いられる系統線に対応付けられ、かつ前記系統線の通電状態に関わらず所定の態様で表される第２シンボルとを複数組み合わせて描画された監視画像から選択された少なくとも１つの第２シンボルと少なくとも１つの第１シンボルとに基づいて、前記系統線の通電状態に応じて表示態様を変化させ、かつ前記系統線に対応付けられた第３シンボルに、選択された前記第２シンボルを変換する。記憶ステップは、変換された前記第３シンボルが描画される領域を表す第１の領域情報と選択された前記第１シンボルが描画される領域を表す第２の領域情報とが所定の条件を満たす場合、前記第３シンボルと前記第１シンボルとを対応付けて記憶装置に記憶する。
【図面の簡単な説明】
【０００６】
【図１】実施形態の監視画像作成装置１００の機能構成を表す機能ブロック図。
【図２】実施形態の可変シンボルテーブルの具体例を示す図。
【図３】実施形態の接続情報と接続情報によって表される監視画像との一具体例を示す図。
【図４】実施形態の活線シンボルへの変換の第１の具体例を示す図。
【図５】実施形態の活線シンボルへの変換の第２の具体例を示す図。
【図６】実施形態の固定線シンボル同士の接続処理の一具体例を示す図。
【図７】実施形態の可変シンボルと固定線シンボルとの接続処理の流れを示すフローチャート。
【図８】実施形態の固定シンボル同士の接続処理の流れを示すフローチャート。
【図９】実施形態の接続部１１１の接続処理の一具体例を示す図。
【図１０】実施形態の変形例の接続情報テーブルと接続情報テーブルによって表される監視画像との一具体例を示す図。
【発明を実施するための形態】
【０００７】
以下、実施形態のコンピュータプログラム、監視画像作成装置及び監視画像作成方法を、図面を参照して説明する。
【０００８】
図１は、実施形態の監視画像作成装置１００の機能構成を表す機能ブロック図である。監視画像作成装置１００は、パーソナルコンピュータ又はサーバ等の情報処理装置である。監視画像作成装置１００は、バスで接続されたＣＰＵ（Central Processing Unit）やメモリや補助記憶装置などを備える。監視画像作成装置１００は、監視画像作成プログラムを実行することによって通信部１０１、入力部１０２、表示部１０３、プログラム記憶部１０４、可変シンボル記憶部１０５、接続情報記憶部１０６及び制御部１０７を備える装置として機能する。監視画像作成プログラムは、コンピュータ読み取り可能な記憶媒体に記憶されてもよい。コンピュータ読み取り可能な記憶媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。監視画像作成プログラムは、電気通信回線を介して送信されてもよい。
【０００９】
監視画像作成装置１００は、ユーザからの操作に基づいて監視画像を作成する。監視画像は、監視制御システムの監視対象となる設備の運転状態を表す画像である。監視画像は、監視対象となる設備単位又は設備の設けられたフロア単位で表される。監視画像は、平面図で表される。監視画像は、固定線シンボル又は活線シンボルと可変シンボルとを複数組み合わせて描画される。監視画像には、可変シンボル同士の繋がり及び位置関係が表される。監視画像は、監視対象となる設備の運転状態を表す値がデジタルで表示される。
【００１０】
可変シンボルは、監視対象となる設備と対応付けされたシンボルである。可変シンボルは、表示態様を変化させることで対応付けされた設備の運転状態又は警報の発報を表す。可変シンボル同士の繋がりは、系統線に対応付けされた固定線シンボル又は活線シンボルで表される。監視者は、監視画像上に表される可変シンボルを操作することで、可変シンボルに対応付けされた設備の発停操作又は設定値出力操作を行う。可変シンボルは、第１シンボルの一態様である。監視者は、例えば、監視制御システムを用いて設備の運転状態の監視及び制御を行う者であってもよい。監視者はユーザの一態様である。
【００１１】
固定線シンボルは系統線に対応付けられる。系統線は、監視対象の設備同士の接続に用いられる線である。固定線シンボルは、監視画像において監視対象となる設備の通電状態に関わらず一定の態様（例えば、黒色）で表示される。固定線シンボルは、第２シンボルの一態様である。
【００１２】
活線シンボルは系統線に対応付けされる。活線シンボルは、系統線の通電状態に応じて表示態様を変化させる。例えば、活線シンボルは、監視対象となる設備の通電状態に応じて色を変えて表示されてもよいし、点滅して表示されてもよい。活線シンボルは、第３シンボルの一態様である。
【００１３】
通信部１０１は、ネットワークインタフェースである。通信部１０１はネットワークを介して、外部の通信装置と通信する。通信部１０１は、例えば無線ＬＡＮ（Local Area Network）、有線ＬＡＮ、Ｂｌｕｅｔｏｏｔｈ（登録商標）又はＬＴＥ（Long Term Evolution）（登録商標）等の通信方式で通信してもよい。
【００１４】
入力部１０２は、タッチパネル、マウス及びキーボード等の入力装置を用いて構成される。入力部１０２は、入力装置を監視画像作成装置１００に接続するためのインタフェースであってもよい。この場合、入力部１０２は、入力装置において入力された入力信号から入力データ（例えば、監視画像作成装置１００に対する指示を示す指示情報）を作成し、監視画像作成装置１００に入力する。
【００１５】
表示部１０３は、ＣＲＴ（Cathode Ray Tube）ディスプレイ、液晶ディスプレイ、有機ＥＬ（Electro Luminescence）ディスプレイ等の出力装置である。表示部１０３は、出力装置を監視画像作成装置１００に接続するためのインタフェースであってもよい。この場合、表示部１０３は、映像データから映像信号を生成し自身に接続されている映像出力装置に映像信号を出力する。
【００１６】
プログラム記憶部１０４は、磁気ハードディスク装置や半導体記憶装置等の記憶装置を用いて構成される。プログラム記憶部１０４は、監視画像作成プログラムを記憶する。
【００１７】
可変シンボル記憶部１０５は、磁気ハードディスク装置や半導体記憶装置等の記憶装置を用いて構成される。可変シンボル記憶部１０５は、可変シンボルテーブルを記憶する。可変シンボルテーブルは、監視画像に表される可変シンボルに関する情報を記憶する。
【００１８】
図２は、実施形態の可変シンボルテーブルの具体例を示す図である。可変シンボルテーブルは、可変シンボルレコードを有する。可変シンボルレコードは、可変シンボル画像、設備名称、表示（オン）及び表示（オフ）の各値を有する。可変シンボル画像は、監視画像上に表される可変シンボルの画像を表す。設備名称は、可変シンボルに対応付けされた設備の名前を表す。表示（オン）は、可変シンボルに対応付けされた設備が稼働している場合における可変シンボル画像の色を表す。表示（オフ）は、可変シンボルに対応付けされた設備が稼働していない場合における可変シンボル画像の色を表す。
【００１９】
図２に示される例では、可変シンボルテーブルの最上段の可変シンボルレコードは、可変シンボル画像の値が“三角形のアイコン”、設備名称の値が“電圧検出器”、表示（オン）の値が“緑”、表示（オフ）の値が“白”である。従って、可変シンボルテーブルの最上段のレコードによると、監視画像において、三角形のアイコンで表される可変シンボル画像は、電圧検出器であることがわかる。可変シンボル画像が緑で表示されている場合、可変シンボルに対応付けられた電圧検出器は稼働していることがわかる。可変シンボル画像が白で表示されている場合、可変シンボルに対応付けられた電圧検出器は稼働していないことがわかる。なお、図２に示される可変シンボルテーブルは一具体例に過ぎない。そのため、図２とは異なる態様で可変シンボルテーブルが構成されてもよい。例えば、可変シンボルテーブルは、可変シンボルに対応付けされた設備に障害が発生している場合における、可変シンボル画像の色を表すカラムを有していてもよい。
【００２０】
接続情報記憶部１０６は、磁気ハードディスク装置や半導体記憶装置等の記憶装置を用いて構成される。接続情報記憶部１０６は、監視画像に関する接続情報を記憶する。接続情報は、監視画像における活線シンボル又は固定線シンボルと可変シンボルとの接続状態を表す。接続情報は、予め接続情報記憶部１０６に記憶されていてもよいし、通信部１０１を介して外部から取得されてきてもよい。
【００２１】
図３は、実施形態の接続情報と接続情報によって表される監視画像との一具体例を示す図である。図３（ａ）は、監視画像に含まれる可変シンボルに関する接続情報である。接続情報は、可変シンボル毎に、可変シンボルに対応付けて記憶される。接続情報は、管理識別子、シンボル種類、状態及び領域情報の各値を有する。可変シンボルの接続情報の各値は、監視画像に応じて監視画像作成装置１００によって予め指定される。管理識別子は、監視画像における可変シンボルを一意に識別可能な識別子である。管理識別子は、他の管理識別子と重複しない情報であればどのような情報であってもよい。シンボル種類は、管理識別子によって識別される可変シンボルに対応付けされた設備の名称を表す。設備の名称は、可変シンボルテーブルに保持される値である。状態は、可変シンボルの状態を表す。状態はオン又はオフ等の２値で表される。オンとは、設備が稼働状態であることを表す。状態がオンである場合、可変シンボルは、可変シンボルテーブルにおける表示（オン）の態様で表示される。オフとは、設備が稼働状態でないことを表す。状態がオフである場合、可変シンボルは、可変シンボルテーブルにおける表示（オフ）の態様で表示される。領域情報は、例えば座標等によって、監視画像上におけるシンボルが描画される領域を表す情報である。
【００２２】
図３（ａ）に示される例では、可変シンボルの接続情報は、管理識別子の値が“２００”、シンボル種類の値が“電圧検出器”、状態の値が“オン”、領域情報の値が“Ａ”である。従って、接続情報によると、監視画面に表示された可変シンボルのうち、管理識別子“２００”によって識別される可変シンボルのシンボル種類は“電圧検出器”であり、状態は稼働状態を示す“オン”であり、監視画像上の領域“Ａ”に描画されていることがわかる。なお、図３（ａ）に示される接続情報は一具体例に過ぎない。そのため、図３（ａ）とは異なる態様で接続情報が構成されてもよい。
【００２３】
図３（ｂ）は、監視画像に含まれる活線シンボルに関する接続情報である。接続情報は、活線シンボル毎に、活線シンボルに対応付けて記憶される。接続情報は、管理識別子、接続及び領域情報の各値を有する。活線シンボルの接続情報の各値は、監視画像に応じて監視画像作成装置１００によって予め指定される。管理識別子は、監視画像における活線シンボルを一意に識別可能な識別子である。管理識別子は、他の管理識別子と重複しない情報であればどのような情報であってもよい。接続とは、管理識別子によって識別される活線シンボルが、他のいずれの可変シンボル又は活線シンボルと接続されているかを表す。接続には、例えば、管理識別子の値が保持される。活線シンボルは、接続された可変シンボルの状態に応じて、その態様が変化する。例えば、活線シンボルは、可変シンボルの状態が“オン”である場合は、通電されていることを示す態様で描画されてもよい。活線シンボルは、可変シンボルの状態が“オフ”である場合は、通電されていないことを示す態様で描画されてもよい。通電されていることを示す態様と通電されていないことを示す態様とは、例えば、色が異なっていてもよいし、点滅の有無で表示されてもよい。領域情報は、例えば座標等によって、監視画像上における可変シンボルが描画される領域を表す情報である。
【００２４】
図３（ｂ）に示される例では、活線シンボルの接続情報は、管理識別子の値が“１１”、接続の値が“２００、３００”、領域情報の値が“Ｂ”である。従って、接続情報によると、管理識別子“１１”によって識別される活線シンボルは、管理識別子“２００”及び“３００”によって識別される可変シンボルに接続されており、監視画像上の領域“Ｂ”に描画されていることがわかる。また、管理識別子“２００”及び“３００”によって識別される可変シンボルは、いずれも状態が“オン”である。したがって、活線シンボルは、通電していることを示す態様で描画される。なお、図３（ｂ）に示される接続情報は一具体例に過ぎない。そのため、図３（ｂ）とは異なる態様で接続情報が構成されてもよい。例えば、接続情報は、固定シンボルの接続情報を記憶していてもよい。なお、固定線シンボルの場合、接続のカラムには、“−”等のように、いずれのシンボルと接続されているか特定できないことを示す情報が保持される。図３（ｃ）は、図３（ａ）及び図３（ｂ）の接続情報によって表される監視画像の一具体例を示す図である。
【００２５】
制御部１０７は、監視画像作成装置１００の各部の動作を制御する。制御部１０７は、例えばＣＰＵ等のプロセッサ及びＲＡＭ（Random Access Memory）を備えた装置により実行される。制御部１０７は、監視画像作成プログラムを実行することによって、監視画像作成部１０８、選択部１０９、変換部１１０及び接続部１１１として機能する。
【００２６】
監視画像作成部１０８は、接続情報記憶部１０６に記憶された接続情報に基づいて、監視画像を作成する。監視画像作成部１０８は、接続情報記憶部１０６に記憶された可変シンボルのシンボル種類に基づいて、可変シンボル記憶部１０５から可変シンボル画像を取得する。監視画像作成部１０８は、接続情報記憶部１０６に記憶された可変シンボルの接続情報の状態に基づいて、可変シンボル画像の色を決定する。監視画像作成部１０８は、接続情報記憶部１０６に記憶された領域情報に基づいて、監視画像上に可変シンボル画像を描画する。監視画像作成部１０８は、接続情報記憶部１０６に記憶された活線シンボルの接続に基づいて、活線シンボルと可変シンボルとの接続、又は活線シンボルと活線シンボルとの接続によるシンボル同士の接続を行う。監視画像作成部１０８は、作成された監視画像を表示部１０３に表示させる。
【００２７】
選択部１０９は、監視画像に対する可変シンボル及び固定線シンボルの選択を入力部１０２を介してユーザから受け付ける。固定線シンボルと可変シンボルとは、それぞれ少なくとも１つ選択される。また、選択部１０９は、選択された２つ以上の固定線シンボル同士が描画されるそれぞれの領域が隣接している場合における処理の選択を受け付ける。選択部１０９は、例えば、監視画像において、隣接している固定線シンボル同士にそれぞれ対応付けられた系統線が互いに接続している状態であるか、接続していない状態であるかを選択する指示を受け付ける。以下、系統線が互いに接続している状態であることを「接続」という。以下、系統線が互いに接続していない状態であることを「交差」という。
【００２８】
変換部１１０は、選択部１０９によって選択された固定線シンボルを、活線シンボルに変換する。具体的には、変換部１１０は、選択された固定線シンボルの接続情報を接続情報記憶部１０６から取得する。変換部１１０は、取得された固定線シンボルの接続情報を活線シンボルに関する接続情報に変換する。例えば、変換部１１０は、固定線シンボルの接続情報を削除して、活線シンボルの接続情報を新しく生成してもよいし、変換部１１０は、固定線シンボルの管理識別子を活線シンボルの管理識別子に変更してもよい。
【００２９】
変換部１１０は、固定線シンボルを活線シンボルに変換する際に、選択部１０９によって選択された固定線シンボルと、選択部１０９によって選択された可変シンボルとの重なる領域を、選択された固定線シンボルから消去する。具体的には、変換部１１０は、選択部１０９によって選択された可変シンボルから１つの可変シンボルを選択する。変換部１１０は、選択された可変シンボルに重なった固定線シンボルがあるか否かを判定する。変換部１１０は、可変シンボル及び固定線シンボルの接続情報を接続情報記憶部１０６から取得する。変換部１１０は、可変シンボルに関する接続情報が保持する領域情報と、固定線シンボルに関する接続情報が保持する領域情報と、に重複する領域が含まれる場合、当該領域において可変シンボルと固定線シンボルとが重なっていると判定する。変換部１１０は、可変シンボルに関する接続情報が保持する領域情報と、固定線シンボルに関する接続情報が保持する領域情報と、に重複する領域が含まれない場合、可変シンボルと固定線シンボルとが重なっていないと判断する。変換部１１０は、可変シンボルに重なった固定線シンボルがあると判断した場合、可変シンボルに重なった固定線シンボルの領域を消去する。例えば、変換部１１０は、固定線シンボルに関する接続情報が保持する領域情報から、可変シンボルに関する接続情報の領域情報と重なっている領域情報を消去する。
【００３０】
変換部１１０は、固定線シンボルに関する接続情報から領域情報を消去したことによって、固定線シンボルの描画される領域が不連続な領域を有することになった場合、不連続な領域に管理識別子をそれぞれ付与する。変換部１１０は、不連続な領域をそれぞれ固定線シンボルに変換する。例えば、監視画像において、固定線シンボルが可変シンボルを貫通して描画されているような場合、変換部１１０は、固定線シンボルの領域情報から可変シンボルと重なっている領域の領域情報を消去することで、固定線シンボルは、不連続な領域を有することになる。変換部１１０は、固定線シンボルが可変シンボルを貫通して描画されているか否かを、可変シンボルの輪郭を示す領域情報のうち、２カ所以上と重なっているか否かによって判定してもよい。この場合、変換部１１０は、可変シンボルの輪郭を示す領域情報のうち、２か所以上と重なっている場合、貫通して描画されていると判定する。変換部１１０は、可変シンボルの輪郭を示す領域情報のうち、２か所以上と重なっていない場合、貫通していないと判定する。
【００３１】
なお、変換部１１０は、固定線シンボルの端部からもう一方の端部に向かって、他の可変シンボルと重なっているか否かを走査していくように構成されてもよい。この場合、変換部１１０は、固定線シンボルと他の可変シンボルと重なっている場合、固定線シンボルから重なっている領域を順次消去する。
【００３２】
接続部１１１は、変換部１１０によって変換された活線シンボルと選択部１０９によって選択された可変シンボルとが所定の条件を満たす場合、監視画像における活線シンボルと可変シンボルとを接続状態にする。活線シンボルと可変シンボルとの接続状態とは、活線シンボルに対応付けられた系統線と可変シンボルに対応付けられた設備とが接続されていることを示す状態である。所定の条件とは、例えば、可変シンボルが描画される領域を表す領域情報と、活線シンボルが描画される領域を表す領域情報とが、隣接している場合であってもよい。接続部１１１は、所定の条件を満たした場合、変換部１１０によって変換された活線シンボルと選択部１０９によって選択された可変シンボルとを対応付けて接続情報記憶部１０６に記憶する。具体的には、接続部１１１は、接続状態にされた可変シンボル及び活線シンボルの接続情報を取得する。接続部１１１は、取得されたそれぞれの可変シンボルの接続情報の接続に、他方の活線シンボルの管理識別子を記憶する。
【００３３】
接続部１１１は、隣接している固定線シンボル同士が互いに接続している状態であることを選択する指示を選択部１０９を介して受け付けた場合、選択された固定線シンボル同士を接続状態にする。具体的には、接続部１１１は、選択部１０９によって選択された固定線シンボルから１つの固定線シンボルを選択する。接続部１１１は、選択された固定線シンボルの接続情報を接続情報記憶部１０６から取得する。接続部１１１は、選択された固定線シンボルに関する接続情報が保持する領域情報に、他の固定線シンボルに関する接続情報が保持する領域情報あるか否かを判定する。具体的には、接続部１１１は、他の固定線シンボルの接続情報を接続情報記憶部１０６から取得する。接続部１１１は、固定線シンボルに関する接続情報が保持する領域情報と、もう一方の固定線シンボルに関する接続情報が保持する領域情報と、が所定の条件を満たす場合、重複する領域において重なっていると判断する。接続部１１１は、固定線シンボルが保持する領域情報と、もう一方の固定線シンボルが保持する領域情報と、が所定の条件を満たさない場合、固定線シンボル同士は重なっていないと判断する。所定の条件とは、例えば、固定線シンボルが保持する領域情報と、一方の固定線シンボルが保持する領域情報とが、隣接又は重なっている場合であってもよい。接続部１１１は、固定線シンボル同士がに重なっていると判断した場合、固定線シンボル同士を対応付けて接続情報記憶部１０６に記憶する。具体的には、接続部１１１は、取得された固定線シンボルの接続情報の接続のカラムに、他方の固定線シンボルの管理識別子を記憶する。
【００３４】
図４は、実施形態の活線シンボルへの変換の第１の具体例を示す図である。図４（ａ）は、変換前の監視画像を表す。図４（ｂ）は、変換後の監視画像を表す。監視画像は、監視画像作成部１０８によって作成される。図４（ａ）の変換前の監視画像は、可変シンボル２００、可変シンボル３００、可変シンボル４００及び固定線シンボル１０を持つ。可変シンボル２００は、頂点２０１、頂点２０２、頂点２０３及び頂点２０４を持つ。可変シンボル３００は、頂点３０１、頂点３０２、頂点３０３及び頂点３０４を持つ。可変シンボル４００は、頂点４０１、頂点４０２、頂点４０３及び頂点４０４を持つ。固定線シンボル１０は、端部１０ａ及び端部１０ｂを持つ。図４（ｂ）の変換後の監視画像は、可変シンボル２００、可変シンボル３００、可変シンボル４００、活線シンボル１１及び活線シンボル１２を持つ。変換部１１０は、固定線シンボル１０を活線シンボル１１及び活線シンボル１２に変換する。
【００３５】
可変シンボル２００は、頂点２０１から頂点２０４で表される４角形で描画される。可変シンボル２００の領域情報は、例えば頂点２０１から頂点２０４によって囲まれた領域を示す座標群である。可変シンボル３００は、頂点３０１から頂点３０４で表される４角形で描画される。可変シンボル３００の領域情報は、例えば頂点３０１から頂点３０４によって囲まれた領域を示す座標群である。可変シンボル４００は、頂点４０１から頂点４０４で表される４角形で描画される。可変シンボル４００の領域情報は、例えば頂点４０１から頂点４０４によって囲まれた領域を示す座標群である。固定線シンボル１０の端部１０ａ及び端部１０ａ近傍は、可変シンボル２００と重なっている。固定線シンボル１０の領域情報は、例えば端部１０ａから端部１０ｂまでの領域を示す座標群である。したがって、変換部１１０は、固定線シンボル１０を活線シンボル１１及び活線シンボル１２に変換するにあたって、可変シンボル２００と固定線シンボル１０との重なった領域を消去する。固定線シンボル１０の中央近傍は、可変シンボル３００と重なっている。したがって、変換部１１０は、固定線シンボル１０を活線シンボル１１及び活線シンボル１２に変換するにあたって、可変シンボル３００と固定線シンボル１０との重なった領域を消去する。固定線シンボル１０の端部１０ｂ及び端部１０ｂ近傍は、可変シンボル４００と重なっている。したがって、変換部１１０は、固定線シンボル１０を活線シンボル１１及び活線シンボル１２に変換するにあたって、可変シンボル４００と固定線シンボル１０との重なった領域を消去する。
【００３６】
固定線シンボル１０について、可変シンボル２００、可変シンボル３００及び可変シンボル４００に重なった領域が削除された場合、固定線シンボル１０は、２つの不連続な領域に分割される。したがって、変換部１１０は、活線シンボルへの変換に当たって、２つに分割された不連続な領域に管理識別子をそれぞれ付与する。図４（ｂ）によると、付与された管理識別子は１１及び１２であることがわかる。
【００３７】
接続部１１１は、図４（ｂ）に基づいて、接続情報を管理する。例えば、接続部１１１は、可変シンボル２００の接続情報として、シンボル種類“電圧検出器”、状態“オン”及び領域情報“Ａ”を接続情報記憶部１０６に記憶させる。
【００３８】
図５は、実施形態の活線シンボルへの変換の第２の具体例を示す図である。図５（ａ）は、変換前の監視画像を表す。図５（ｂ）は、変換後の監視画像を表す。図５（ａ）の変換前の監視画像は、可変シンボル７００、可変シンボル８００、可変シンボル９００、可変シンボル１０００、固定線シンボル４０、固定線シンボル５０、固定線シンボル６０、固定線シンボル７０、固定線シンボル８０及び固定線シンボル９０を持つ。なお、頂点及び端部については説明を省略する。図５（ｂ）の変換後の監視画像は、可変シンボル７００、可変シンボル８００、可変シンボル９００、可変シンボル１０００、活線シンボル４１、活線シンボル５１、活線シンボル６１、活線シンボル７１、活線シンボル８１及び活線シンボル９１を持つ。変換部１１０は、固定線シンボル４０を活線シンボル４１に変換する。変換部１１０は、固定線シンボル５０を活線シンボル５１に変換する。変換部１１０は、固定線シンボル６０を活線シンボル６１に変換する。変換部１１０は、固定線シンボル７０を活線シンボル７１に変換する。変換部１１０は、固定線シンボル８０を活線シンボル８１に変換する。変換部１１０は、固定線シンボル９０を活線シンボル９１に変換する。
【００３９】
接続部１１１は、図５（ｂ）に基づいて、接続情報を管理する。例えば、接続部１１１は、可変シンボル７００の接続情報として、シンボル種類“電圧検出器”、状態“オン”及び領域情報“Ａ”を接続情報記憶部１０６に記憶させる。
【００４０】
図６は、実施形態の固定線シンボル同士の接続処理の一具体例を示す図である。図６（ａ）は、２本の固定線シンボルが交差して描画されている場合における接続処理の一具体例を示す図である。図６（ｂ）は、２本の固定線シンボルがＴ字で描画されている場合における接続処理の一具体例を示す図である。図６に示される接続処理は、選択部１０９が「接続」を受け付けた場合に実行される。
【００４１】
図６（ａ）において、接続部１１１は、交差点で固定線シンボルを４本に分割する。接続部１１１は、分割された４本の固定線シンボルを接続する。具体的には、接続部１１１は、図６（ａ）に表される２本の固定線シンボルの接続情報を取得する。接続部１１１は、取得された接続情報の接続に、取得された他方の固定線シンボルの管理識別子を記憶する。
【００４２】
図６（ｂ）において、接続部１１１は、交差点で固定線シンボルを３本に分割する。接続部１１１は、分割された３本の固定線シンボルを接続する。具体的には、接続部１１１は、図６（ｂ）に表される２本の固定線シンボルの接続情報を取得する。接続部１１１は、取得された接続情報の接続に、取得された他方の固定線シンボルの管理識別子を記憶する。
【００４３】
図７は、実施形態の可変シンボルと固定線シンボルとの接続処理の流れを示すフローチャートである。監視画像作成部１０８は、接続情報記憶部１０６に記憶された接続情報に基づいて、監視画像を作成する（ステップＳ１０１）。選択部１０９は、監視画像に対する可変シンボル及び固定線シンボルの選択を入力部１０２を介してユーザから受け付ける（ステップＳ１０２）。変換部１１０は、選択部１０９によって選択された可変シンボルから１つの可変シンボルを選択する（ステップＳ１０３）。変換部１１０は、選択された可変シンボルに重なった固定線シンボルがあるか否かを判定する（ステップＳ１０４）。変換部１１０は、重なった固定シンボルがない場合（ステップＳ１０４：ＮＯ）、ステップＳ１０３に遷移する。
【００４４】
変換部１１０は、重なった固定シンボルがある場合（ステップＳ１０４：ＹＥＳ）、重なった固定シンボルが、可変シンボルを貫通しているか否かを判定する（ステップＳ１０５）。変換部１１０は、固定線シンボルが可変シンボルを貫通していない場合（ステップＳ１０５：ＮＯ）、固定線シンボルのうち、可変シンボルに重なった領域を消去する（ステップＳ１０６）。変換部１１０は、固定線シンボルが可変シンボルを貫通している場合（ステップＳ１０５：ＹＥＳ）、固定線シンボルのうち、可変シンボルに重なった領域を消去する（ステップＳ１０７）。変換部１１０は、消去によって生じた不連続な領域に管理識別子を付与する（ステップＳ１０８）。変換部１１０は、選択された固定線シンボル及び不連続な領域を活線シンボルに変換する（ステップＳ１０９）。接続部１１１は、変換部１１０によって変換された活線シンボルと選択部１０９によって選択された可変シンボルとを対応付けて接続情報記憶部１０６に記憶する（ステップＳ１１０）。変換部１１０は、選択された全ての可変シンボルで処理を行ったか否かを判定する（ステップＳ１１１）。変換部１１０は、全ての可変シンボルで処理を行った場合（ステップＳ１１１：ＹＥＳ）、処理を終了する。変換部１１０は、全ての可変シンボルで処理を行っていない場合（ステップＳ１１１：ＮＯ）、ステップＳ１０３に遷移する。
【００４５】
図８は、実施形態の固定シンボル同士の接続処理の流れを示すフローチャートである。監視画像作成部１０８は、接続情報記憶部１０６に記憶された接続情報に基づいて、監視画像を作成する（ステップＳ２０１）。選択部１０９は、監視画像に対する２つ以上の固定線シンボルの選択を入力部１０２を介してユーザから受け付ける（ステップＳ２０２）。選択部１０９は、選択された２つ以上の固定線シンボル同士が隣接している場合における処理の選択（交差又は接続）を受け付ける（ステップＳ２０３）。接続部１１１は、処理として接続を受け付けたか否かを判定する（ステップＳ２０４）。接続部１１１は、処理として接続を受け付けていない場合（ステップＳ２０４：ＮＯ）、ステップＳ２０９に遷移する。
【００４６】
接続部１１１は、処理として接続を受け付けた場合（ステップＳ２０４：ＹＥＳ）、選択部１０９によって選択された固定線シンボルから１つの固定線シンボルを選択する（ステップＳ２０５）。接続部１１１は、ステップＳ２０２において選択された固定線シンボルのうち、ステップＳ２０５において選択された固定線シンボルと重なった固定線シンボルがあるか否かを判定する（ステップＳ２０６）。接続部１１１は、重なった固定線シンボルがない場合（ステップＳ２０６：ＮＯ）、ステップＳ２０８に遷移する。接続部１１１は、重なった固定線シンボルがある場合（ステップＳ２０６：ＹＥＳ）、固定線シンボル同士を対応付けて接続情報記憶部１０６に記憶する（ステップＳ２０７）。
【００４７】
接続部１１１は、ステップＳ２０２において選択された全ての固定線シンボルで処理を行ったか否かを判定する（ステップＳ２０８）。変換部１１０は、全ての固定線シンボルで処理を行った場合（ステップＳ２０８：ＹＥＳ）、選択された固定線シンボルを活線シンボルに変換する（ステップＳ２０９）。接続部１１１は、処理を行っていない固定線シンボルがある場合（ステップＳ２０８：ＮＯ）、ステップＳ２０５に遷移する。
【００４８】
このように構成された監視画像作成装置１００では、選択部１０９が可変シンボルと固定線シンボルとの選択を受け付ける。変換部１１０は、選択された可変シンボルと固定線シンボルとにおいて重なった領域がある場合、重なった領域を固定線シンボルに関する接続情報の領域情報から消去する。変換部１１０は、固定線シンボルを活線シンボルに変換する。接続部１１１は、活線シンボルと可変シンボルとが隣接している場合に、活線シンボルと可変シンボルとを対応付けて接続情報に記憶する。このように構成されることで、固定線シンボルを一本ずつ可変シンボルに置き換える必要がなくなり、一括して可変シンボルに変換することが可能になる。したがって、監視画像作成装置１００は、より効率よく監視画像を作成することが可能になる。また、変換部１１０は、選択された可変シンボルと固定線シンボルとにおいて重なった領域がある場合、重なった領域を固定線シンボルに関する接続情報の領域情報から消去する。したがって、監視画像の作成者は、監視画像における固定線シンボルの長さを監視画像に合わせて調整する必要がなくなる。監視画像作成装置１００は、より効率的に監視画像を作成することが可能になる。
【００４９】
図９は、実施形態の接続部１１１の接続処理の一具体例を示す図である。上述の実施形態では、固定線シンボル又は活線シンボルと可変シンボルとは、隣接している場合に接続するものとして説明したが、これに限定されない。例えば、接続部１１１は、固定線シンボル又は活線シンボルと可変シンボルの輪郭とが隣接している場合に、固定線シンボル又は活線シンボルと可変シンボルとを対応付けて記憶するように構成されてもよい。
【００５０】
図９（ａ）は、可変シンボルを表す。図９（ａ）の点線で表される四角形は、可変シンボルの輪郭を表す。図９（ｂ）は、可変シンボルと固定線シンボルとの重なっている態様と、接続後の態様とを表す。図９（ｂ）のように、固定線シンボルと可変シンボルの輪郭とが隣接していれば、接続部１１１は、固定線シンボルと可変シンボルとを対応付けて接続情報記憶部１０６に記憶するように構成されてもよい。この場合、図９（ｂ）の中段及び下段のように、固定線シンボルと可変シンボルとが離れているように見えたとしても、監視画像作成装置１００は、両シンボルが接続されているものとして処理する。このように構成されることで、監視対象の設備が複雑な構成を有する場合であったとしても、監視画像の作成者は、細かな接続作業を行う必要がなくなり、より効率的に監視画像を作成することが可能になる。
【００５１】
上述の実施形態では、接続情報記憶部１０６は、活線シンボルが可変シンボルの管理識別子を保持するように構成されたが、接続情報記憶部１０６は、接続情報テーブルを記憶するように構成されてもよい。接続情報テーブルは、監視画像における活線シンボル又は固定線シンボルと可変シンボルとの接続状態を記憶する。接続情報テーブルは、予め接続情報記憶部１０６に記憶されていてもよいし、通信部１０１を介して外部から取得されてきてもよい。
【００５２】
図１０は、実施形態の変形例の接続情報テーブルと接続情報テーブルによって表される監視画像との一具体例を示す図である。図１０（ａ）は、接続情報テーブルである。接続情報テーブルは、接続情報レコードを有する。接続情報レコードは、管理識別子、シンボル種類、状態、接続及び領域情報の各値を有する。管理識別子及び領域情報については、上述の実施形態と同じであるため説明を省略する。接続情報レコードの各値は、監視画像に応じて監視画像作成装置１００によって予め指定される。シンボル種類は、管理識別子によって識別される可変シンボル、活線シンボル又は固定線シンボルに対応付けされた設備の名称を表す。例えば、管理識別子によって識別されるシンボルが活線シンボルである場合、シンボル種類は活線である。管理識別子によって識別されるシンボルが固定線シンボルである場合、シンボル種類は固定線である。管理識別子によって識別されるシンボルが可変シンボルである場合、シンボル種類は設備名称の値である。設備名称の値は、可変シンボルテーブルに保持される値である。状態は、可変シンボル又は活線シンボルの状態を表す。可変シンボルの場合、状態はオン又はオフ等の２値で表される。オンとは、設備が稼働状態であることを表す。状態がオンである場合、可変シンボルは、可変シンボルテーブルにおける表示（オン）の態様で表示される。オフとは、設備が稼働状態でないことを表す。状態がオフである場合、可変シンボルは、可変シンボルテーブルにおける表示（オフ）の態様で表示される。活線シンボルの場合、状態は通電又は非通電等の２値で表される。通電とは、系統線に電気が通っている状態を表す。状態が通電である場合、活線シンボルは実線で表示される。非通電とは、系統線に電気が通っていない状態を表す。状態が非通電である場合、活線シンボルは点線で表示される。なお、接続情報レコードが固定線シンボルに関するレコードである場合、“−”等のように、状態が特定できないことを示す情報が保持される。接続とは、管理識別子によって識別されるシンボルが、他のいずれのシンボルと接続されているかを表す。接続には、例えば、管理識別子の値が保持される。なお、固定線シンボルの場合、“−”等のように、いずれのシンボルと接続されているか特定できないことを示す情報が保持される。
【００５３】
図１０（ａ）に示される例では、接続情報テーブルの最上段の接続情報レコードは、管理識別子の値が“２００”、シンボル種類の値が“電圧検出器”、状態の値が“オン”、接続の値が“１１”、領域情報の値が“Ａ”である。従って、接続情報テーブルの最上段のレコードによると、管理識別子“２００”によって識別されるシンボルのシンボル種類は“電圧検出器”であり、状態は稼働状態を示す“オン”であり、活線シンボルである“１１”が接続されており、監視画像上の領域“Ａ”に描画されていることがわかる。なお、図１０（ａ）に示される接続情報テーブルは一具体例に過ぎない。そのため、図１０（ａ）とは異なる態様で接続情報テーブルが構成されてもよい。図１０（ｂ）は、図１０（ａ）の接続情報テーブルによって表される監視画像の一具体例を示す図である。
【００５４】
監視画像作成装置は、ネットワークを介して通信可能に接続された複数台の情報処理装置を用いて実装されてもよい。この場合、監視画像作成装置が備える各機能部は、複数の情報処理装置に分散して実装されてもよい。例えば、変換部１１０と接続部１１１とはそれぞれ異なる情報処理装置に実装されてもよい。
【００５５】
上記各実施形態では、監視画像作成部１０８、選択部１０９、変換部１１０及び接続部１１１はソフトウェア機能部であるものとしたが、ＬＳＩ等のハードウェア機能部であってもよい。
【００５６】
以上説明した少なくともひとつの実施形態によれば、選択部１０９、変換部１１０及び接続部１１１を持つことにより、より効率的に監視画像を作成することができる。
【００５７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５８】
１００…監視画像作成装置、１０１…通信部、１０２…入力部、１０３…表示部、１０４…プログラム記憶部、１０５…可変シンボル記憶部、１０６…接続情報記憶部、１０７…制御部、１０８…監視画像作成部、１０９…選択部、１１０…変換部、１１１…接続部
【図１】
2020115253.tif 000003
【図２】
2020115253.tif 000004
【図３】
2020115253.tif 000005
【図４】
2020115253.tif 000006
【図５】
2020115253.tif 000007
【図６】
2020115253.tif 000008
【図７】
2020115253.tif 000009
【図８】
2020115253.tif 000010
【図９】
2020115253.tif 000011
【図１０】
2020115253.tif 000012